(57)【要約】【課題】くさび緊結式足場における支柱と水平部材との緊結部分の周辺に隙間が生じないように、水平部材と足場板との間の隙間をきれいに塞ぐことができる足場用隙間塞ぎ具を提供すること。【解決手段】支柱に設けられた緊結部と水平部材の端部とをくさび部材を用いて連結するくさび緊結式足場用の隙間塞ぎ具１であって、水平部材で形成された枠内に架設された足場板の短手方向に直交する側端部側に発生する隙間を塞ぐカバー体２と、カバー体２の下面に設けられ、足場板の短手方向に直交する側端部側に位置する水平部材に取り付けるための取付部３とを備え、カバー体２の長手方向の両端部又は一端部に、くさび部材及び支柱を嵌め合わせるための切欠部４が形成され、取付部３が切欠部４を避けた位置に設けられている。【選択図】図１
0003199635.tif 000002
【実用新案登録請求の範囲】
【請求項１】
支柱に設けられた緊結部と水平部材の端部とをくさび部材を用いて連結するくさび緊結式足場用の隙間塞ぎ具であって、
前記水平部材で形成された枠内に架設された足場板の短手方向に直交する側端部側に発生する隙間を塞ぐカバー体と、
該カバー体の下面に設けられ、前記足場板の短手方向に直交する側端部側に位置する前記水平部材に取り付けるための取付部とを備え、
前記カバー体の長手方向の両端部又は一端部に、前記くさび部材及び前記支柱を嵌め合わせるための切欠部が形成され、
前記取付部が前記切欠部を避けた位置に設けられていることを特徴とする足場用隙間塞ぎ具。
【請求項２】
前記カバー体が、短手方向中央の平坦部と、該平坦部から短手方向の両端部に向けて緩やかに傾斜する傾斜部とを備え、前記水平部材を介して配設された両足場板に跨って前記隙間を塞ぐものであることを特徴とする請求項１記載の足場用隙間塞ぎ具。
【請求項３】
前記カバー体の短手方向中央下面に、前記水平部材に当接させる当接部が形成されていることを特徴とする請求項１又は請求項２記載の足場用隙間塞ぎ具。
【請求項４】
前記取付部が、先端部が外側に開き、中央部が外側に膨らんだ略湾曲形状をした１対の板バネ部材で構成されていることを特徴とする請求項１〜３のいずれかの項に記載の足場用隙間塞ぎ具。
【請求項５】
前記取付部には、前記水平部材と結び付けるための結束部材を通す挿通部が形成されていることを特徴とする請求項１〜４のいずれかの項に記載の足場用隙間塞ぎ具。
【請求項６】
前記切欠部が、小径部と大径部とからなる略だるま形状に形成され、前記小径部に前記くさび部材、前記大径部に前記支柱が嵌め合わされるように構成されていることを特徴とする請求項１〜５のいずれかの項に記載の足場用隙間塞ぎ具。
【考案の詳細な説明】
【技術分野】
【０００１】
本考案は足場用隙間塞ぎ具に関し、より詳細には建設現場等において使用されるくさび緊結式足場用の隙間塞ぎ具に関する。
【背景技術】
【０００２】
建設現場では、作業者が高所で作業を行えるように、建築物の周囲に足場が組み立てられる。この足場としては、枠組み足場が一般的に使用されている。枠組み足場は、縦方向に連設される建枠とこれら建枠の間に架設された横臥材とが門型に溶接された枠体と、所定間隔を設けて列設された枠体の横臥材にフックを介して架設される足場板とを積み上げて構築される。
【０００３】
枠組み足場では、足場板の両端部に張り出し形成されたフックを横臥材に掛止させるため、足場板と横臥材との間に、フックの出巾分に相当する隙間が形成される。そのため、この隙間からくぎやボルトなどの金具等が下方に落下し、下方にいる作業者に当って怪我をさせる虞などがあった。
【０００４】
そこで、足場板のフックにより形成される前記隙間を塞ぐための継ぎ目カバーが下記の特許文献１に提案されている。図４は特許文献１に開示された継ぎ目カバーを示す斜視図である。図５は、継ぎ目カバーを足場板間に架け渡した状態を示す平面図である。
【０００５】
継ぎ目カバー５０は、山形形状をしたカバー本体５１と、カバー本体５１の中央下面に形成された２片の弾性係止片５３ａ、５３ｂからなる弾性係止部５３とを備え、カバー本体５１には、装着時に足場板６２のフック６２ａが臨む位置に、フック６２ａが嵌り込むようにするための矩形形状をした切欠５４が穿設されている。この継ぎ目カバー５０によれば、図５に示すように、建枠６０の間に架設された横臥材６１に弾性係止部５３を嵌め込むだけで、足場板６２と横臥材６１との継ぎ目にできる隙間Ｓ１をカバー本体５１で塞ぐことが可能となっている。
【０００６】
一方、建設現場で使用される足場には、上記した枠組み足場の他にも種類があり、枠組み足場よりも梱包性及び輸送性に優れ、また施工性にも優れている足場として、くさび緊結式足場が知られている（例えば、下記の特許文献２を参照）。
【０００７】
図６（ａ）は、特許文献２に開示されたくさび緊結式足場の部分分解斜視図であり、図６（ｂ）は、くさび緊結式足場を構成する水平部材及び支柱の部分側面図である。図７は、くさび緊結式足場の平面図である。
くさび緊結式足場２０は、支柱２１と、支柱２１に取り付けられる水平部材２２と、水平部材２２に架設される足場板３０とを含んで構成されている。
【０００８】
支柱２１は、建築物等の外面に沿って所定間隔を隔てて複数立設され、各支柱２１には、上下方向に所定間隔を隔てて複数のフランジ２３が設けられている。各フランジ２３には、例えば四方に向くように４つの掛止孔２４が形成されている。これら掛止孔２４に水平部材２２が掛止される。
【０００９】
水平部材２２は、円筒状のパイプ部材２５と、パイプ部材２５の両端に溶接された連結部材２６と、連結部材２６の内部に貫入されるくさび部材２７とを含んで構成されている。連結部材２６は、水平部材２２を支柱２１のフランジ２３に掛止させるためのものであり、全体形状が略円筒状とされ、支柱側が側面視略ワニ口状に形成されるとともに、側面視で支柱側に向かうほど広がるようにテーパが形成されている。連結部材２６には、内部の空間部に連通され、フランジ２３を上下方向から挟み込むための側面開口２６ａが形成され、側面開口２６ａは、一方の側面から支柱側の側面及び他方の側面にわたって水平方向に連続するように形成されている。また、連結部材２６の上面には上面開口２６ｂが形成され、下面には下面開口２６ｃが形成され、上面開口２６ｂ及び下面開口２６ｃにくさび部材２７が挿通（貫通）されるようになっている。
【００１０】
くさび部材２７は、長尺状に形成され、上端部２７ａは奥行き方向に幅広に形成されている。くさび部材２７は、この上端部２７ａにより上面開口の周縁で掛止され、くさび部材全体が上面開口２６ｂを通じて連結部材２６の内部に入り込まないようになっている。また、くさび部材２７の下端部近傍には、奥行き方向に突出した突出部２７ｂが形成されている。くさび部材２７は、この突出部２７ｂにより、この形成部分が連結部材２６の内部に挿入可能である一方、上面開口２６ｂを通じて上方側に抜脱しないようになっている。
【００１１】
作業者は、くさび部材２７の上端部２７ａを把持して持ち上げ、くさび部材２７の先端をフランジ２３の掛止孔２４に挿通させ、連結部材２６の下面開口２６ｃからくさび部材２７の先端を突出させる。そして、作業者は、くさび部材２７の上端部２７ａをハンマー等で衝打することにより、図６（ｂ）に示したように、水平部材２２が支柱２１のフランジ２３に強固に固定される。このようなくさび緊結式足場２０では、支柱２１の四方に水平部材２２を架設することができるため、図７に示すように、足場板３０を短手方向に並列に配置する形態とすることで、作業スペース（足場板の面積）を広くとることが可能となる。また、足場板３０には、図５に示したフック５４の出巾が大きい通常の足場板６２とは異なり、フック３１の出巾が小さく、フック３１との段差のないフラットな足場板、例えばセイフティウォーク（日鐵住金建材株式会社製）を使用することで、フック３１と水平部材２２との連結部分の隙間を小さく、また平坦にすることが可能となっている。
【００１２】
ところが、フック３１の出巾が小さな足場板３０を短手方向に並列に配置して足場を組んだ場合、足場板３０の短手方向の水平部材２２と足場板３０との間の隙間は小さくすることが可能であるが、足場板３０の長手方向の水平部材２２と足場板３０との間には隙間Ｓ２が生じる。
【００１３】
足場板３０の長手方向の水平部材２２には、足場板３０のフック３１が掛止されないので、長手方向の隙間Ｓ２は、図５に示した短手方向の隙間Ｓ１よりも幅が広く、金具等の落下や、作業者の足先等が引っ掛かる危険性がより高く、作業者の安全性を高めるためにこれら隙間を塞ぎたいという要望があった。
【００１４】
そこで、足場板３０の長手方向の水平部材２２と足場板３０との隙間Ｓ２を、上記した特許文献１記載の継ぎ目カバー５０を使用して塞ごうとした場合、くさび緊結式足場２０の水平部材２２の両端部にはくさび部材２７が上方に突出し、また、支柱２１からはフランジ２３が水平方向に延出されているため、支柱２１と水平部材２２との連結部の周辺に生じる隙間をきれいに塞ぐことができないという課題があった。
【先行技術文献】
【特許文献】
【００１５】
【特許文献１】特開平１０−１６９１８７号公報
【特許文献２】特開２０１３−２５６８５７号公報
【考案の概要】
【課題を解決するための手段及びその効果】
【００１６】
本考案は上記課題に鑑みなされたものであって、くさび緊結式足場における支柱と水平部材との緊結部分の周辺に隙間が生じないように、水平部材と足場板との間の隙間をきれいに塞ぐことのできる足場用隙間塞ぎ具を提供することを目的としている。
【００１７】
上記目的を達成するために本考案に係る足場用隙間塞ぎ具（１）は、支柱に設けられた緊結部と水平部材の端部とをくさび部材を用いて連結するくさび緊結式足場用の隙間塞ぎ具であって、前記水平部材で形成された枠内に架設された足場板の短手方向に直交する側端部側に発生する隙間を塞ぐカバー体と、該カバー体の下面に設けられ、前記足場板の短手方向に直交する側端部側に位置する前記水平部材に取り付けるための取付部とを備え、前記カバー体の長手方向の両端部又は一端部に、前記くさび部材及び前記支柱を嵌め合わせるための切欠部が形成され、前記取付部が前記切欠部を避けた位置に設けられていることを特徴としている。
【００１８】
上記足場用隙間塞ぎ具（１）によれば、前記水平部材で形成された枠内に架設された足場板の短手方向に直交する側端部側に発生する隙間に対し、前記カバー体の前記切欠部に前記くさび部材及び前記支柱を嵌め合わせ、前記取付部を前記水平部材に取り付けて、前記隙間に前記カバー体を被せることにより、前記くさび緊結式足場における前記支柱と前記水平部材との緊結部分の周辺に隙間が生じないように、前記足場板の短手方向に直交する側端部側に発生する隙間をきれいに塞ぐことができる。
【００１９】
また本考案に係る足場用隙間塞ぎ具（２）は、上記足場用隙間塞ぎ具（１）において、前記カバー体が、短手方向中央の平坦部と、該平坦部から短手方向の両端部に向けて緩やかに傾斜する傾斜部とを備え、前記水平部材を介して配設された両足場板に跨って前記隙間を塞ぐものであることを特徴としている。
【００２０】
上記足場用隙間塞ぎ具（２）によれば、前記カバー体が、短手方向中央の平坦部と、該平坦部から短手方向の両端部に向けて緩やかに傾斜する傾斜部とを備え、前記水平部材を介して配設された両足場板に跨って前記隙間を塞ぐものであるので、前記足場板の短手方向に直交する側端部側に発生する隙間を前記カバー体で塞いだ場合であっても、前記足場板との境界部にほとんど段差が形成されないので、前記カバー体に作業者の足が引っ掛かることもなく、作業の安全性を高めることができる。
【００２１】
また本考案に係る足場用隙間塞ぎ具（３）は、上記足場用隙間塞ぎ具（１）又は（２）において、前記カバー体の短手方向中央下面に、前記水平部材に当接させる当接部が形成されていることを特徴としている。
【００２２】
上記足場用隙間塞ぎ具（３）によれば、前記取付部を前記水平部材に取り付けたときに、前記当接部を前記水平部材に当接させることができ、前記カバー体の上を作業者が歩いたときに、該カバー体がたわむ等することがなく、装着時の安定性を高めることができる。
【００２３】
また本考案に係る足場用隙間塞ぎ具（４）は、上記足場用隙間塞ぎ具（１）〜（３）のいずれかにおいて、前記取付部が、先端部が外側に開き、中央部が外側に膨らんだ略湾曲形状をした１対の板バネ部材で構成されていることを特徴としている。
【００２４】
上記足場用隙間塞ぎ具（４）によれば、前記取付部を構成する前記１対の板バネ部材の先端部が外側に開いているので、前記水平部材に嵌め込み易く、また、中央部が外側に膨らんだ略湾曲形状をしているので、前記水平部材を弾性力で確実に挟持することができ、容易に外れないようにすることができる。
【００２５】
また本考案に係る足場用隙間塞ぎ具（５）は、上記足場用隙間塞ぎ具（１）〜（４）のいずれかにおいて、前記取付部には、前記水平部材と結び付けるための結束部材を通す挿通部が形成されていることを特徴としている。
【００２６】
上記足場用隙間塞ぎ具（５）によれば、前記取付部には、前記水平部材と結び付けるための結束部材を通す挿通部が形成されているので、該挿通部に結束部材を通して、前記水平部材と前記取付部とを結び付ける（結束する）ことにより、高所で設置された場合等において、吹上風により前記水平部材から前記取付部が外れ、当該塞ぎ具が吹き飛ばされるような現象を確実に防止することができる。
【００２７】
また本考案に係る足場用隙間塞ぎ具（６）は、上記足場用隙間塞ぎ具（１）〜（５）のいずれかにおいて、前記切欠部が、小径部と大径部とからなる略だるま形状に形成され、前記小径部に前記くさび部材、前記大径部に前記支柱が嵌め合わされるように構成されていることを特徴としている。
【００２８】
上記足場用隙間塞ぎ具（６）によれば、前記略だるま形状をした前記切欠部に前記くさび部材と前記支柱を嵌め合わせることができ、前記支柱と前記水平部材との緊結部分の周辺に隙間が生じないようにきれいに塞ぐことができる。
【図面の簡単な説明】
【００２９】
【図１】本考案の実施の形態に係る足場用隙間塞ぎ具を概略的に示した図であり、（ａ）は平面図、（ｂ）は正面図、（ｃ）は（ａ）におけるｃ−ｃ線断面図である。
【図２】実施の形態に係る足場用隙間塞ぎ具をくさび緊結式足場に装着した状態を示す平面図である。
【図３】図２におけるIII−III線断面図である。
【図４】従来の継ぎ目カバーを示す斜視図である。
【図５】継ぎ目カバーを足場板間に架け渡した状態を示す平面図である。
【図６】（ａ）はくさび緊結式足場の部分分解斜視図であり、（ｂ）はくさび緊結式足場を構成する水平部材及び支柱の部分側面図である。
【図７】くさび緊結式足場を用いて、足場板を短手方向に並列配置した部分の平面図である。
【考案を実施するための形態】
【００３０】
以下、本考案に係る足場用隙間塞ぎ具の実施の形態を図面に基づいて説明する。なお、以下に述べる実施の形態は、本考案の好適な具体例であるから、技術的に好ましい種々の限定が付されているが、本考案の範囲は、以下の説明において特に本考案を限定する旨の記載がない限り、これらの形態に限定されるものではない。
【００３１】
図１は、本考案の実施の形態に係る足場用隙間塞ぎ具を示した概略図であり、（ａ）は平面図、（ｂ）は正面図、（ｃ）は（ａ）におけるｃ−ｃ線断面図である。図２は、実施の形態に係る足場用隙間塞ぎ具をくさび緊結式足場に装着した状態を示す平面図である。また、図３は、図２におけるIII−III線断面図である。
【００３２】
実施の形態に係る足場用隙間塞ぎ具が装着されるくさび緊結式足場として、図６、７で説明したものを採用した場合について説明するが、本発明に係る足場用隙間塞ぎ具は、この形式のくさび緊結式足場への適用に限定されるものではなく、支柱に設けられた緊結部と水平部材の端部とをくさび部材を用いて連結する形式の各種くさび緊結式足場に適用できる。
【００３３】
足場用隙間塞ぎ具１は、平面視略長方形形状をしたカバー体２と、カバー体２の短手方向下面略中央に長手方向に沿って形成された取付部３とを備え、カバー体２の長手方向両端中央部に、くさび部材２７及び支柱２１を嵌め合わせるための切欠部４がそれぞれ形成され、取付部３が、切欠部４の直下（カバー体２の長手方向両端部分）を避けた位置に設けられている。
【００３４】
カバー体２は、水平部材２２で形成された枠内に架設された足場板３０の短手方向に直交する側端部側に発生する隙間（図７に示した隙間Ｓ２）（水平部材２２を間に介して短手方向に並列配置された足場板３０間の隙間）を塞ぐためのものである。カバー体２の長さ（長手方向）は、足場の支柱２１間の幅を考慮して設定されており、支柱２１間の幅サイズに対応する数種の長さサイズのものを予め用意しておくことができる。カバー体２の幅（短手方向）は、水平部材２２を間に介して短手方向に並列配置された足場板３０間の隙間幅（図７に示した隙間Ｓ２）よりも大きくなるように設定されている。例えば、２００ｍｍ程度に設定することができる。
【００３５】
また、カバー体２は、短手方向中央の平坦部２ａと、平坦部２ａから短手方向の両端部向けて緩やかに下降する傾斜部２ｂとを備えている。カバー体２の幅が２００ｍｍ前後の場合、平坦部２ａから両端部までの降下幅は約１０ｍｍ前後（７ｍｍ〜１５ｍｍ程度）となるように設定されている。
【００３６】
また、カバー体２の短手方向中央下面には、装着時に水平部材２２に当接させるための下向き凸状の当接部５が長手方向に沿って形成されている。当接部５の高さは、装着時に水平部材２２に当接可能なサイズであれば特に限定されず、取付部３の形状・サイズ等により変わるが、例えば１０ｍｍ前後に設定される。
【００３７】
切欠部４は、小径部４ａと大径部４ｂとからなる略だるま形状に形成され、小径部４ａにくさび緊結式足場のくさび部材２７、大径部４ｂにくさび緊結式足場の支柱２１が嵌め合わされるように切欠サイズが設定されている。また、カバー体２の上面には、滑り止め用の突条６が形成されている。これら突条６の代わりにカバー体２の上面に複数の小さな突起部を形成したり、上面に滑り止め加工を施してもよい。
【００３８】
取付部３は、カバー体２の略中央下面に設けられ、水平部材２２に取付ける（嵌合させる）ための機能を有し、先端部が外側に開き、中央部が外側に膨らんだ略湾曲形状をした１対の横長の板バネ部材３ａ、３ｂで構成され、カバー体２と一体に形成されている。カバー体２及び取付部３の材質は、特に限定されないが、軽量かつ耐久性・耐候（耐熱・耐寒）性に優れたポリエチレン樹脂等の樹脂部材で形成することが好ましい。また、足場用隙間塞ぎ具１の構成部材には、引張試験における最大破断荷重が４００ｋｇｆ程度、屈曲試験における破断屈曲回数が１０００回程度の耐久性能を備えているものが使用されている。また、板バネ部材３ａ、３ｂの長手方向両端部には、板バネ部材３ａ、３ｂが嵌合される水平部材２２と結び付ける（結束する）ための紐部材（結束部材）７を通す挿通孔（挿通部）３ｃがそれぞれ形成されている。
【００３９】
水平部材２２を間に介して短手方向に並列配置された足場板３０間の隙間Ｓ２（図７）を足場用隙間塞ぎ具１で塞ぐ場合、まず、隙間を塞ぐ支柱２１間にカバー体２を配置する。すなわち、カバー体２の長手方向一端側の切欠部４に一方側の支柱２１及びくさび部材２７を嵌め合わせた後、他端側の切欠部４に他方側の支柱２１及びくさび部材２７を嵌め合わせる。その後、カバー体２下面の取付部の板バネ部材３ａ、３ｂを水平部材２２に押し当てて、上から押え込みながら取付部３を水平部材２２に嵌め込む。その後、板バネ部材３ａ、３ｂの対向する挿通孔３ｃ、３ｃに通してあった紐部材７を締めて結び、水平部材２２と板バネ部材３ａ、３ｂとを結束する。
図２、３に示すように、板バネ部材３ａ、３ｂの弾性力により取付部３が水平部材２２にしっかりと取付けられ、カバー体２の短手方向の両側端部が、足場板３０の短手方向に直交する端部側に係止される。くさび緊結式足場２０における支柱２１と水平部材２２との緊結部分の周辺に隙間が生じないように、水平部材２２と足場板３０との間の隙間がきれいに塞がれる。
【００４０】
なお、上記実施の形態に係る足場用隙間塞ぎ具１は、カバー体２の長手方向の両端部に切欠部４が形成されているが、別の実施の形態では、カバー体２の長手方向の一端部にのみ切欠部４を形成し、２枚１組で足場板３０間の隙間を塞ぐように構成することもできる。また、切欠部４の形状は、小径部４ａと大径部４ｂとからなる略だるま形状（２段形状）以外の形状を採用することができ、切欠部４に支柱２１とくさび部材２７とを嵌め合わせた状態で、支柱２１とくさび部材２７との間の隙間が少なくなるような形状であればよく、例えば、３段形状とすることもできる。また、足場板の四隅にフック３１が設けられ、フック３１が足場板面よりも上に出っ張っている足場板を使用する場合に対応して、カバー体２の長手方向両端部に足場板のフック３１との重なりを避けるための切欠部をさらに形成することもできる。
【００４１】
上記実施の形態に係る足場用隙間塞ぎ具１によれば、水平部材２２で形成された枠内に架設された足場板３０の短手方向に直交する側端部側に発生する隙間Ｓ２に対して、カバー体２の切欠部４にくさび部材２７及び支柱２１を嵌め合わせ、取付部３を水平部材２２に取り付けて、隙間Ｓ２にカバー体２を被せることにより、くさび緊結式足場２０における支柱２１と水平部材２２との緊結部分の周辺に隙間が生じないように、足場板３０の短手方向に直交する側端部側に発生する隙間Ｓ２をきれいに塞ぐことができる。
【００４２】
また上記足場用隙間塞ぎ具１によれば、カバー体２が、短手方向中央の平坦部２ａと、平坦部２ａから短手方向の両端部に向けて緩やかに傾斜する傾斜部２ｂとを備えているので、足場板３０の短手方向に直交する側端部側に発生する隙間Ｓ２をカバー体２で塞いだ場合であっても、足場板３０との境界部にほとんど段差が形成されないので、カバー体２に作業者の足が引っ掛かることもなく、作業の安全性を高めることができる。
【００４３】
また上記足場用隙間塞ぎ具１によれば、カバー体２の短手方向中央下面に、水平部材２２に当接させる当接部５が長手方向に沿って形成されているので、取付部３を水平部材２２に取り付けたときに、当接部５を水平部材２２の上部に当接させることができ、カバー体２の上を作業者が歩いたときに、カバー体２がたわむ等することがなく、装着時の安定性を高めることができる。
【００４４】
また上記足場用隙間塞ぎ具１によれば、取付部３が、先端部が外側に開き、中央部が外側に膨らんだ略湾曲形状をした１対の板バネ部材３ａ、３ｂで構成されているので、水平部材２２への装着時に嵌め込み易く、また、中央部が外側に膨らんだ略湾曲形状をしているので、水平部材２２を弾性力で確実に挟持することができ、容易に外れないようにすることができる。
【００４５】
また上記足場用隙間塞ぎ具１によれば、板バネ部材３ａ、３ｂの両端部には、水平部材２２と結び付けるための紐部材７を通す挿通孔３ｃがそれぞれ形成されているので、対向する挿通孔３ｃに紐部材７を通した状態で板バネ部材３ａ、３ｂを水平部材２２に嵌め込み、紐部材７を締めて結ぶことにより、板バネ部材３ａ、３ｂと水平部材２２とを結束することができ、高所で設置された場合等において、吹上風により水平部材２２から取付部３が外れ、塞ぎ具１が吹き飛ばされることを確実に防止することができる。
【００４６】
また上記足場用隙間塞ぎ具１によれば、切欠部４が、小径部４ａと大径部４ｂとからなる略だるま形状に形成され、小径部４ａにくさび部材２７、大径部４ｂに支柱２１が嵌め込まれるように構成されているので、略だるま形状をした切欠部４にくさび部材２７と支柱２１を嵌め込むことができ、支柱２１と水平部材２２との緊結部分の周辺に隙間が生じないようにきれいに塞ぐことができる。
【００４７】
なお、上記実施の形態に係る足場用隙間塞ぎ具１では、取付部３がカバー体２に固定されているが、別の実施の形態では、カバー体２の下面に取付部３をスライド可能に係合させる図示しない係合レール部（例えば、断面コ字状の一対のレール）を形成し、該係合レール部に取付部３（一対の板バネ部材３ａ、３ｂ）を係合させ、取付部３をカバー体２に対してスライド可能な構造とすることもできる。また、取付部３を、カバー体２の長手方向に間欠的に設けた構成とすることもできる。
【００４８】
また、切欠部４を一部又は全部塞ぐことのできる可動蓋（図示せず）をカバー体２の下面にスライド可能な形態で配設する構成とすることもできる。前記可動蓋により、装着時に支柱２１及びくさび部材２７との間に生じる余分な隙間をさらに塞ぐことが可能となる。
【００４９】
さらに別の実施の形態では、カバー体２及び取付部３を長手方向にスライド可能な構成、例えば第１のカバー体及び取付部に第２のカバー体及び取付部を長手方向にスライド可能に係合させる構成、より具体的には、第１のカバー体に長手方向に沿って細長のスライド孔を２列形成し、第２のカバー体の取付部（板バネ部材）を前記スライド孔にスライド自在に挿着させて、第１のカバー体と第２のカバー体とを重ねた構成とすることにより、支柱２１間のサイズが異なる足場にも適宜対応可能な構成とすることもできる。
【符号の説明】
【００５０】
１  足場用隙間塞ぎ具
２  カバー体
２ａ  平坦部
２ｂ  傾斜部
３  取付部
３ａ、３ｂ  板バネ部材
３ｃ  挿通孔
４  切欠部
４ａ  小径部
４ｂ  大径部
５  当接部
６  突条部
２０  くさび緊結式足場
２１  支柱
２２  水平部材
２３  フランジ部
２４  掛止孔
２５  パイプ部材
２６  連結部
２７  くさび部材
３０  足場板
【図１】
0003199635.tif 000003
【図２】
0003199635.tif 000004
【図３】
0003199635.tif 000005
【図４】
0003199635.tif 000006
【図５】
0003199635.tif 000007
【図６】
0003199635.tif 000008
【図７】
0003199635.tif 000009